(57)【要約】【目的】販売店などに設置されたダウンロード装置によらずに更新ソフトウェアのダウンロードが行えるディジタル放送受信装置を提供する。【構成】ディジタル放送受信装置２は、携帯型として構成され、ディジタル放送波の強階層又は強階層と中階層を受信すると共に、無線ネット接続によって情報をダウンロードすることができるように構成されている。そして、前記ディジタル放送波にはダウンロード告知情報が載せられており、この情報の一つとして接続先情報を含めておく。このディジタル放送受信装置２は、前記ディジタル放送波に載せられたダウンロード告知情報のなかの接続先情報を取得し、この接続先情報に基づいてインターネット４２を介してサーバ４３に接続し、ダウンロードを実行し、ダウンロード内容に従って更新処理を行なう。【選択図】                図３
2004187178.tif 000002
【特許請求の範囲】
【請求項１】
ディジタル放送波の強階層又は強階層と中階層を受信するディジタル放送受信装置であって、無線ネット接続によって情報をダウンロードする手段と、前記ディジタル放送波に載せられたダウンロード告知情報のなかの接続先情報を取得し又は予め記憶されている接続先情報を読み出し、この接続先情報に基づいて無線ネット接続を行い、ダウンロードを実行する制御手段と、ダウンロード内容に従って更新処理を行なう手段と、を備えたことを特徴とするディジタル放送受信装置。
【請求項２】
請求項１に記載のディジタル放送受信装置において、ダウンロード告知情報のなかに複数の接続先情報が含まれている場合又は予め複数の接続先情報が記憶されている場合にそのいずれかを分散化手法により選択するように構成されたことを特徴とするディジタル放送受信装置。
【請求項３】
請求項１又は請求項２に記載のディジタル放送受信装置において、ダウンロード告知情報で示されるダウンロード期間内でダウンロード日時を分散化手法により決定するように構成されたことを特徴とするディジタル放送受信装置
【請求項４】
請求項２又は請求項３に記載のディジタル放送受信装置において、装置固有番号又はユーザにより設定された番号に基づいて分散化手法を実行するように構成されたことを特徴とするディジタル放送受信装置。
【請求項５】
請求項２又は請求項３に記載のディジタル放送受信装置において、乱数を発生させることにより分散化手法を実行するように構成されたことを特徴とするディジタル放送受信装置。
【請求項６】
請求項１乃至請求項５のいずれかに記載のディジタル放送受信装置において、ダウンロードのための無線ネット接続時の電波受信品質が所定レベルを満たし且つ充電量又は電力供給量が所定レベルを満たすときにダウンロードを実行するように構成されたことを特徴とするディジタル放送受信装置。
【請求項７】
請求項１乃至請求項６のいずれかに記載のディジタル放送受信装置において、ダウンロードに失敗したときには、ダウンロード日時を設定し直すように構成されたことを特徴とするディジタル放送受信装置。
【請求項８】
ディジタル放送波に対象機器へのダウンロードの開始の告知情報を載せて送出するダウンロード告知方法において、前記告知情報に接続先情報を含めて送出することを特徴とするダウンロード告知方法。
【請求項９】
請求項８に記載のダウンロード告知方法において、前記告知情報に複数の接続先情報を含めることを特徴とするダウンロード告知方法。
【発明の詳細な説明】
【０００１】
【産業上の利用分野】
この発明は、地上ディジタル放送を受信するディジタル放送受信装置及びダウンロード告知方法に関する。
【０００２】
【従来の技術】
地上波を用いたディジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と呼ばれる伝送方式が用いられ、当該放送波を受信するディジタル放送受信装置としては、家屋内に固定的に設置される受信装置の他に、携帯機器に受信機能が付加されたもの（以下、携帯型装置という）や車などの移動体において使用されることを目的とした機器（以下、車載用装置という）としての利用を想定している。このため、単一の伝送路符号化での放送だけでなく、複数の異なる伝送路符号化を用いる階層伝送を行うことが考えられている。この階層伝送においては最大３つの階層が用いられ、所要Ｃ／Ｎ比が低い順に、強階層、中階層、弱階層が存在する。そして、携帯型装置向けには強階層放送が行われ、車載用装置向けには強階層放送及び中階層放送が行われる。このため、携帯型装置及び車載用装置では弱階層放送を受信する構成にはならない。
【０００３】
【発明が解決しようとする課題】
ところで、ディジタル放送受信装置においては、放送波を利用したソフトウェア更新機能を備えることが可能である。地上ディジタル放送においても、ソフトウェア更新情報（ＳＤＴＴ：Ｓｏｆｔｗａｒｅ  Ｄｏｗｎｌｏａｄ  Ｔｒｉｇｇｅｒ  Ｔａｂｌｅ）が強階層及び弱階層にて放送されるが、更新するソフトウェア自体は弱階層で放送されるため、携帯型装置及び車載用装置ではソフトウェアの更新を放送波を用いて行うことはできず、例えば、販売店などに設置されたダウンロード装置を通じてダウンロードを行うことが考えられている。
【０００４】
この発明は、上記の事情に鑑み、販売店などに設置されたダウンロード装置によらずに更新ソフトウェア等のダウンロードが行えるディジタル放送受信装置及びダウンロード告知方法を提供することを目的とする。
【０００５】
【課題を解決するための手段】
この発明のディジタル放送受信装置は、上記の課題を解決するために、ディジタル放送波の強階層又は強階層と中階層を受信するディジタル放送受信装置であって、無線ネット接続によって情報をダウンロードする手段と、前記ディジタル放送波に載せられたダウンロード告知情報のなかの接続先情報を取得し又は予め記憶されている接続先情報を読み出し、この接続先情報に基づいて無線ネット接続を行い、ダウンロードを実行する制御手段と、ダウンロード内容に従って更新処理を行なう手段と、を備えたことを特徴とする。
【０００６】
上記の構成であれば、前記接続先情報に基づき無線ネット接続を行ってネット上のサーバからダウンロードを行なうことができるので、販売店などに設置されたダウンロード装置によらずに更新ソフトウェア等のダウンロードが行えることになる。また、ダウンロード告知情報の受信がネット接続のトリガとなるため、ユーザに度々ネット接続を行なわせて更新ソフトウェアの確認を行なわせることとした場合の通信費用の増大やユーザ負担を無くすことができる。
【０００７】
ここで、ダウンロード告知情報を受信した多くのディジタル放送受信装置が一斉にネット接続を開始してダウンロードを行なうと、サーバの処理負担が急増して不具合が生じたり、また、通信の集中（高トラフィック）で回線に負担をかけてしまうおそれもある。
【０００８】
ダウンロード告知情報のなかに複数の接続先情報が含まれている場合又は予め複数の接続先情報が記憶されている場合にそのいずれかを分散化手法により選択するのがよい。また、ダウンロード告知情報で示されるダウンロード期間内でダウンロード日時を分散化手法により決定するように構成されているのがよい。これにより、サーバの処理負担の急増や回線負担を回避することができる。
【０００９】
装置固有番号又はユーザにより設定された番号に基づいて分散化手法を実行してもよい。また、乱数を発生させることにより分散化手法を実行してもよい。
【００１０】
ダウンロードのための無線ネット接続時の電波受信品質が所定レベルを満たし且つ充電量又は電力供給量が所定レベルを満たすときにダウンロードを実行するように構成されているのがよい。これにより、ダウンロードの確実性を高めることができる。また、ダウンロードデータに失敗したときには、ダウンロード日時を設定し直すように構成されているのがよい。
【００１１】
また、この発明のダウンロード告知方法は、ディジタル放送波に対象機器へのダウンロードの開始の告知情報を載せて送出するダウンロード告知方法において、前記告知情報に接続先情報を含めて送出することを特徴とする。かかる方法において、前記告知情報に複数の接続先情報を含めるのがよい。
【００１２】
【発明の実施の形態】
以下、この発明の実施形態を図１乃至図５に基づいて説明する。図１はディジタル放送波の強階層を受信することができる携帯型のディジタル放送受信装置を示した外観斜視図であり、図２は携帯型のディジタル放送受信装置のブロック図であり、図３はダウンロードシステムの概要を示した説明図であり、図４はＦｌａｓｈＲＯＭとＲＡＭとの関係を示した説明図であり、図５はＳＤＴＴに含める接続先情報の記述定義例を示した説明図である。
【００１３】
図１に示すように、ディジタル放送受信装置２は、例えば携帯電話型の形状を有しており、電池駆動される構成となっている。また、ディジタル放送受信装置２は、図２に示すように、チューナ２３０によって地上ディジタル放送を受信する。また、スロット２０１に差し込まれたメモリカード３から符号化映像・音声データを読み出し、映像を液晶表示パネル２０２上に映し出すとともに、音声をイヤホン２０３から出力する。視聴に関する操作ボタン（プレイ／ポーズ、ストップ、送り、音量等）やテンキー等については、筐体部に設けている。
【００１４】
メモリカード３に格納されているＭＰＥＧ４ビットストリームデータは、ＰＣＭＣＩＡインターフェイス２２０、及びシステムバス２１３を経てＭＰＥＧ４デコーダ２０４に供給される。また、強階層の地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ２−ＡＡＣ）２０６に与えたり、メモリカード３に記録すべくシステムバス２１３に供給したりする。ＭＰＥＧ４デコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データを復号して音声データを生成する。ＳＤＲＡＭ２１０は、ＭＰＥＧ４デコーダ２０４の上記処理において利用される。
【００１５】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１６】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００１７】
本体キー２１４は先述した視聴に関する操作ボタン（プレイ／ポーズ、ストップ、送り）やテンキー等に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００１８】
また、無線ネットワークを可能にするために、通信ブロック２１６及びインターフェイス２１７が設けられている。更に、ＦｌａｓｈＲＯＭ２１８やＲＡＭ２１９も備える。電池２２１は二次電池であり、図示しない充電器から電力の供給を得てこれを蓄えるようになっている。携帯電話部２３１は、通常の電話のために用いることとしている。
【００１９】
ＣＰＵ２０９は、ディジタル放送のための各種制御、無線ネットワークのための処理、スロット２０１にＰＨＳデータカード４が装着された場合のデータ送受信、受信データに基づく各機能部の制御、ＦｌａｓｈＲＯＭ２１８やＲＡＭ２１９のリード／ライト制御なども行うようになっている。
【００２０】
図３は、ダウンロードシステムの概要を示した説明図である。放送事業者４１は、ソフトウェアの更新がある場合、ソフトウェア更新対象情報（メーカＩＤやモデルＩＤなど）、ネット（例えば、インターネット４２）上のサーバ４３に接続させるための接続先情報（電話番号（サーバ直接接続）やアドレス情報（ＵＲＬ，絶対アドレス）など）、ダウンロード期間情報などをＳＤＴＴのプライベートエリアに記述して送信する（図５参照）。一方、サーバ４３には、ダウンロードデータ（更新データや更新ソフトウェア）が格納される。
【００２１】
ディジタル放送受信装置２は、強階層のＳＤＴＴを通常状態において監視しており、受信できた際にはプライベートエリアの解析を行い、前述のソフトウェア更新対象情報に基づき自機がソフトウェア更新対象となるかどうかを判断する。自機がソフトウェア更新対象となる場合には、サーバ接続先情報やダウンロード期間情報を例えばＦｌａｓｈＲＯＭ２１８に格納する。そして、ユーザにより設定された例えば４桁の暗証番号をＦｌａｓｈＲＯＭ２１８から読み出し、これを用いて以下に説明する分散化手法に基づき接続先サーバや通信日時を決定する。なお、受信装置２に暗証番号が設定されていない場合には、例えば「ソフトウェアの更新には暗証番号が必要です」といったメッセージをグラフィックスコントローラ２０５を介して液晶表示パネル２０２に表示し、暗証番号の設定を促すこととすればよい。
【００２２】
［分散化手法例］
例えば、４つの接続先情報が設定されている場合であれば、
▲１▼暗証番号の下一桁の数値に対し、
４で割り切れるもの
４での除算で１の余りを発生するもの
４での除算で２の余りを発生するもの
４での除算で３の余りを発生するもの
といった４区分化により、４つの接続先に均等に分散化される。
▲２▼更に乱数性を向上させるために、下一桁だけでなく、全桁を用いても良い。
▲３▼４桁の数字を加算した結果に対して上記除算処理を行なってもよい。
▲４▼ダウンロード実行日時の分散化においては、例えば、ダウンロード期間を時換算し（１日＝２４時間）、例えば、１０日間のダウンロード期間が設定されているのであれば、暗証番号を２４０で除算することで、２４０タイミングに分散化できる。すなわち、ＳＤＴＴの受信タイミングから０時間後（直後）、１時間後、２時間後、…、２３９時間後のごとく実行日時が分散化される。
【００２３】
受信装置２は、決定したダウンロード実行日時までタイマー計測によって待機し、実行日時になると、前記決定した接続先に接続してダウンロードデータ取得処理を行うことになる。ＣＰＵ２０９は、スロット２０１にＰＨＳデータカード４が装着されているかどうかを確認し、装着されている場合には受信信号品質を確認する。なお、通信実行時にＰＨＳデータカード４を装着させておくように、ＬＣＤパネル２０２にユーザへのメッセージ（或いは、要装着を示すアイコン、通信実行日時等）を表示しておくのがよい（ＰＨＳデータカード４によらずにデータ通信機能を当初から内蔵している場合は、上記メッセージは不要である）。更に、充電量が所定レベルを満たしているかどうかを判断する。そして、受信信号品質が所定レベルを満たし且つ充電量が所定レベルを満たしている場合にサーバに接続し、ダウンロードを実行することになる。ＣＰＵ２０９は、受信したダウンロードプログラム／データをＦｌａｓｈＲＯＭ２１８に記録し、ソフトウェアの更新を行う。ここで、ＦｌａｓｈＲＯＭ２１８に格納されたダウンロードプログラム／データは、ＦｌａｓｈＲＯＭ２１８からＲＡＭ２１９に複製され、ＲＡＭ２１９上で動作される。通常は、受信機ソフトウェアを格納する前記ＦｌａｓｈＲＯＭ２１８は一領域分よりやや多いが、万一のメモリ破損に備えて２バンク程度実装されていることが多い。受信機ソフトウェアを格納する領域を複数領域もたせることで複数のバージョンのソフトウェアを保持したり、異常事態に対応することが可能となる。
【００２４】
なお、ダウンロードの実行が行なえなかった場合には、ダウンロード日時を設定し直すようになっている。この設定し直しにおいては、例えば、暗証番号−１の数値に対して経過日時を除いたダウンロード期間（時換算値）による除算を行なうことが考えられるし、或いは、タイマーを始動して１時間ごとにダウンロードを再度試みるといったことも考えられる。
【００２５】
上記の例においては、ディジタル放送受信装置２に設定された暗証番号（年齢視聴制限のための暗証番号があるが、地上ディジタル放送ではそのようなものは無いと考えられるので、携帯電話における暗証番号（電話帳保護等に用いる）を想定している）を用いて説明したが、これに限るものではなく、例えば放送受信装置２に与えられた固有の番号（例えば、製造番号や電話番号など）を用いることもでき、要は、各装置で異なる番号であればよい。ただし、受信装置に設定された居住地域情報などを利用してもよく、この場合には居住地域情報の種類分の分散化が図れることになる。また、接続先情報については、ＳＤＴＴに含める他に、予め受信装置にメーカ出荷段階で記憶させておくことも可能である。また、上記の説明においては、受信信号品質及び充電量を確認して通信を行うこととしたが、より通信を確実にするため、例えば、電池２２１の充電のために受信装置２が充電器に装填されているときに通信を実行することとすれば、電源不足による通信中断を防ぐことができる。また、上記実施形態では、携帯型ディジタル放送受信装置２を示したが、車載用のディジタル放送受信装置（強階層及び中階層受信）にも適用できる。
【００２６】
【発明の効果】
以上説明したように、この発明によれば、前記接続先情報に基づき無線ネット接続を行ってネット上のサーバからダウンロードを行なうことができるので、販売店などに設置されたダウンロード装置によらずに更新ソフトウェア等のダウンロードが行えることになる。また、ダウンロード告知情報の受信がネット接続のトリガとなるため、ユーザに度々ネット接続を行なわせて更新ソフトウェアの確認を行なわせることとした場合の通信費用の増大やユーザ負担を無くすことができる。更に、分散化手法によって接続先やダウンロード日時を決定する構成であれば、サーバの処理負担の急増（輻輳）や回線負担を回避することができる。
【図面の簡単な説明】
【図１】この発明の実施形態のディジタル放送受信装置を示した外観斜視図である。
【図２】この発明の実施形態のディジタル放送受信装置を示したブロック図である。
【図３】この発明の実施形態のダウンロードシステムを示した説明図である。
【図４】ＦｌａｓｈＲＯＭとＲＡＭとの関係を示した説明図である。
【図５】ＳＤＴＴに含める接続先情報の記述例を示した説明図である
【符号の説明】
２    ディジタル放送受信装置
４    ＰＨＳデータカード
２３０  地上波ディジタルチューナ
２３１  携帯電話部
２０９  ＣＰＵ
【図１】
2004187178.tif 000003
【図２】
2004187178.tif 000004
【図３】
2004187178.tif 000005
【図４】
2004187178.tif 000006
【図５】
2004187178.tif 000007